(57)【要約】【課題】ネスティング可能な椅子において、座り心地を向上させると共に、背もたれの取り付けも容易ならしめる。【解決手段】背もたれ３は、支持フレーム１９の上支軸１７に後傾動自在に連結されている。座２は跳ね上げ回動式の可動ベース体４に前後動自在に装着されている。座２が取り付いた支持ステー４０に受動アーム４２に設けており、受動アーム４２の上端に設けた冠部材４４に背もたれ３の押動部４３が嵌まっている。ロッキングすると冠部材が押されて座２が前進する。背もたれ３の軸受け部３２には後ろ向きに開口した切欠き８３ａが形成されおり、背もたれ３を基準姿勢から前傾させることにより、後ろ向き移動にて、上支軸１７への軸受け部３２の嵌め込みと、冠部材４４への押動部４３の嵌め込みとを一連に行える。【選択図】図１２
2014097181.tif 000002
【特許請求の範囲】
【請求項１】
座の左右外側に配置された支持フレームと、座面よりも高い高さ位置において前記支持フレームに取り付けられた背もたれとを有しており、前記背もたれは、左右方向の軸線を有する支軸と軸受け部との対によって前記支持フレームに連結されており、前記背もたれと支持フレームとのうちいずれか一方に支軸を設けて他方には軸受け部を設けている構成であって、
前記軸受け部に、前記背もたれを手前から後ろ方向に移動させることで前記支軸に嵌まり込む切欠き設けている、
椅子。
【請求項２】
前記背もたれは後傾動自在であって、前記支軸と軸受けとの間には樹脂製のブッシュが介在しており、前記ブッシュを予め支軸に装着した状態で前記背もたれの取り付けが行われるようになっており、前記軸受け部と支軸とはビスによって離脱不能に保持されている、
請求項１に記載した椅子。
【請求項３】
前記ブッシュには前記軸受けの切欠きに嵌合する外向きのストッパー片を設けており、前記ストッパー片が切欠きに嵌まることでブッシュが軸受けに対して相対回転不能に保持されている、
請求項２に記載した椅子。
【請求項４】
前記背もたれは後傾動自在で前記座は前後動自在であり、前記座又はこれが取り付けられた前後動自在座受け体の後端部に上向きの受動アームを設けている一方、前記背もたれの下端部には、前記受動アームに上方から嵌まっているポケット状の押動部が形成されており、前記背もたれが後傾すると前記押動部で受動アームが押されて前記座が前進するようになっており、かつ、前記背もたれを人がもたれ掛かっていない基準姿勢よりも前傾させた状態で後ろ向き移動させることにより、前記軸受け部と支軸との嵌合と前記受動アームに対する押動部の嵌合が一連に行われるようになっている、
請求項１〜３のうちのいずれかに記載した椅子。
【発明の詳細な説明】
【技術分野】
【０００１】
本願発明は、背もたれを左右の支持フレームに取り付けて成る椅子に関するもので、特に、背もたれが後傾自在な（回動自在な）ロッキング椅子を好適な対象としている。
【背景技術】
【０００２】
椅子において背もたれを後傾動自在に構成する場合、一般には、座や支持ベースに傾動フレームを後傾動自在に連結し、傾動フレームに背もたれを取り付けていることが多い。傾動フレームの回動支点は単なる軸で構成されていることもあるし、特許文献１のようにトーションバーで構成されていることもある。また、背もたれが後傾しない椅子においては、背もたれを左右の支持フレームの間に配置して、背もたれをビスで支持フレームに締結することも広く行われている。
【先行技術文献】
【特許文献】
【０００３】
【特許文献１】特許第３７３０１１９号公報
【発明の概要】
【発明が解決しようとする課題】
【０００４】
さて、背もたれを回動式とする場合、特許文献１のように傾動フレームを使用すると、背もたれは後傾する程に座から遠ざかるため、例えば椅子を前後に並べた使用する場合、前後の椅子の間隔を狭めるとロッキングに際して着座者の頭や肩が後ろに大きく移動して後ろの人の迷惑になることがある。これに対して背もたれがその上下中途部を中心にして傾動するように支持フレームに連結すると、大きな後傾角度を確保しつつ着座者の頭が後ろに大きく移動することを防止できる利点がある。
【０００５】
本願発明はこのような現状を背景に成されたものであり、左右の支持フレームに背もたれを連結して成る椅子において、背もたれの連結を簡単に行えるようにすることを目的とするものである。
【課題を解決するための手段】
【０００６】
本願発明は、各請求項で特定されている。このうち請求項１の発明は、座の左右外側に配置された支持フレームと、座面よりも高い高さ位置において前記支持フレームに取り付けられた背もたれとを有しており、前記背もたれは、左右方向の軸線を有する支軸と軸受け部との対によって前記支持フレームに連結されており、前記背もたれと支持フレームとのうちいずれか一方に支軸を設けて他方には軸受け部を設けている構成であって、前記軸受け部に、前記背もたれを手前から後ろ方向に移動させることで前記支軸に嵌まり込む切欠き設けている。
【０００７】
請求項２の発明は、請求項１において、前記背もたれは後傾動自在であって、前記支軸と軸受けとの間には樹脂製のブッシュが介在しており、前記ブッシュを予め支軸に装着した状態で前記背もたれの取り付けが行われるようになっており、前記軸受け部と支軸とはビスによって離脱不能に保持されている。
【０００８】
請求項３の発明は、請求項２において、前記ブッシュには前記軸受けの切欠きに嵌合する外向きのストッパー片を設けており、前記ストッパー片が切欠きに嵌まることでブッシュが軸受けに対して相対回転不能に保持されている。
請求項２に記載した椅子。
【０００９】
請求項４の発明は、請求項１〜３のうちのいずれかにおいて、前記背もたれは後傾動自在で前記座は前後動自在であり、前記座又はこれが取り付けられた前後動自在座受け体の後端部に上向きの受動アームを設けている一方、前記背もたれの下端部には、前記受動アームに上方から嵌まっているポケット状の押動部が形成されており、前記背もたれが後傾すると前記押動部で受動アームが押されて前記座が前進するようになっており、かつ、前記背もたれを人がもたれ掛かっていない基準姿勢よりも前傾させた状態で後ろ向き移動させることにより、前記軸受け部と支軸との嵌合と前記受動アームに対する押動部の嵌合が一連に行われるようになっている。
【発明の効果】
【００１０】
本願発明では、背もたれを後ろ向きに移動させることで支軸と軸受け部とが嵌まり合うため、いちいちピンを挿入するような手間は不要であり、このため背もたれの取り付けを迅速に行える。また、背もたれは座面より高い位置で支持フレームに連結されているため、請求項２のように後傾式のロッキング椅子に適用すると、大きな後傾角度を確保しつつ、ロッキング時に頭や肩が後ろに大きく後退することを防止できるため、椅子を前後に並べて使用する場合に好適である。
【００１１】
また、請求項２のようにブッシュを使用すると、背もたれが傾動するロッキング椅子の場合に好適である。また、ブッシュを先に支軸に取り付けておくことにより、軸受け部の切欠きはオープンの状態なっているため、軸受け部の嵌め込みも支障なく行える。ブッシュを設けた場合、請求項３のようにストッパー片を設けると、ブッシュのガタツキを防止できる共に、軸受け部の切欠きが露出すことによる美感の悪化も防止できる。
【００１２】
請求項５のように背もたれの後傾動に連動して座を前進させると、ロッキングに際して着座者の下半身が前進して身体全体として伸び勝手になるため、ロッキングに際しての窮屈さを無くして快適さを高めることができる。従って、背もたれの傾動支点が座面より高い位置にあることと相まって、好適なロッキング椅子になっている。
【００１３】
そして、基準姿勢で受動アームの切欠きは前後方向に開口している一方、背もたれの押動部は下方に開口しているため、単に背もたれを後ろ向きに移動させただけでは押動部を受動アームに嵌め込むこときができないが、請求項４ように背もたれを基準姿勢よりも前傾した姿勢にして後ろ向き移動させることにより、受動アームと支軸との嵌め合わせと、受動アームへの押動部の嵌め込みとを一連に行える。従って、背もたれに連動して座が前進する椅子の組み立てを簡単に行える。
【図面の簡単な説明】
【００１４】
【図１】第１実施形態に係る椅子の斜視図であり、（Ａ）は座を倒した状態の全体斜視図、（Ｂ）は座を跳ね上げた状態での全体斜視図、（Ｃ）は背もたれの部分的な分離斜視図である。
【図２】座を分離した状態の斜視図、（Ｂ）は座受け部の斜視図である。
【図３】座を省略した状態での分離斜視図である。
【図４】ロッキング機構を示す分離斜視図である。
【図５】（Ａ）は座部の一部分離斜視図、（Ｂ）はスライダーと支持ステーとの関係を示す図、（Ｃ）は（Ｂ）のＣ−Ｃ視断面図である。
【図６】（Ａ）は連動部の一部を示す分離斜視図、（Ｂ）は同じく連動部の部分正面図である。
【図７】（Ａ）は図６（Ｂ）のＡ−Ａ視断面図、（Ｂ）は（Ａ）の部分拡大図、（Ｃ）は図１０（Ｂ）のＢ−Ｂ視断面図である。
【図８】（Ａ）は動きを示すための側面図、（Ｂ）は跳ね上げ回動支点と支持ステーの押し位置との関係を示す分離側面図である。
【図９】背もたれ本体の連結部を示す図で、（Ａ）は外観の斜視図、（Ｂ）は分離斜視図、（Ｃ）は上キャップを分離した状態の斜視図、（Ｄ）は全体の分離斜視図である。
【図１０】（Ａ）は回動軸心で切った平断面図、（Ｂ）は分離斜視図である。
【図１１】背もたれの取り付け手順を示す側面図である。
【図１２】背もたれの取り付け手順を示す図で、（Ａ）は側面図、（Ｂ）は斜視図である。
【発明を実施するための形態】
【００１５】
(1).椅子の概要
次に、本願発明の実施形態を図面に基づいて説明する。まず、椅子の概略を主として図１〜４に基づいて説明する。なお、以下の説明で方向を特定するために「前後」「左右」の文言を使用しているが、この前後・左右は、椅子に普通に腰掛けた人から見た状態を基準にしている。正面視方向は、着座者と対向した方向である。
【００１６】
図１のとおり、椅子は、大きな要素として脚装置１と座２と背もたれ３とを備えており、座２は、跳ね上げ回動式の可動式ベース４に取り付けられている。従って、座２と可動式ベース４とを主要要素として座部５が構成されている。図１（Ａ）に示すように、座２は、樹脂製の座板（座インナーシェル）６とその上面に張った座クッション材７とを備えており、座クッション材７はクロス等の表皮材８で覆われている。なお、可動式ベース４は、回動式ベース又は跳ね上げ式ベースと呼ぶことも可能である。図２〜４に示すように、可動式ベース４の上面には多数の補強リブ９を設けている。
【００１７】
脚装置１は鋼管やアルミ管等の金属管から成っており（従って、本実施形態はいわゆるパイプ椅子に適用している。）、左右の前足１０と左右の後足１１とを有する４本足方式になっている。前後各足にはキャスタ１２を取り付けている。前足１０の上端には、水平に対してやや前傾した姿勢で後ろ向きに延びる上サイド部１４が曲げ形成されており、上サイド部１４の後端を後足１１の上端寄り部位に突き合わせて溶接で固定している。
【００１８】
左右の上サイド部１４の前端は左右横長の横杆１５で連結されている。横杆１５は前倒しされた座部５を支持する機能も有しており、左右中間部が高くなるように正面視で上向き凸状に緩く曲がっている。後足１１は、上に行くほど手前にずれるように側面視で前傾姿勢になっており、かつ、緩い曲率で湾曲している。図１（Ｂ）のとおり、可動式ベース４の下面には、横杆１５の左右中間部が嵌まる凹所４ａを形成している。
【００１９】
後足１１の上端は自由端になっており、上端に軸心を左右水平とした上支軸１７が溶接で固定されており、この上支軸１７に背もたれ３が上ビス１８を介して後傾動可能に連結されている。従って、本実施形態では、後足１１の上端部が、背もたれ３と座２とを取り付ける支持部材の一例としての支持フレーム１９になっている。既述のように後足１１は側面視で前傾しているので、上支軸１７は座２の後端よりも手前に位置している。
【００２０】
左右の後足１１の左右間隔は左右前足１０の左右間隔よりも大きくなっており、このため、座部５を跳ね上げた状態で前後の椅子の脚装置１同士を嵌め合わせる（ネスティングする）ことが可能になっている。例えば図３に明示されているように、後足１１の内側面には、椅子をネスティングした時に後ろの椅子の前足１０が当たる（嵌まる）ゴム製等のストッパー２０を設けている。
【００２１】
なお、脚装置１の形態は任意に設定することができる。敢えて述べるまでもないが、左右前足１０の間隔を左右後足１１の間隔より大きくすることによっても、ネスティング可能である。各足１０，１１は、中実の棒材で製造したり楕円管で製造したりすることも可能である。勿論、アルミダイキャスト品又は樹脂成形品も採用可能である。
【００２２】
例えば図３に示すように、可動式ベース４は、平面視四角形で浅い箱状の本体部２１と、本体部２１の後部から外側に広がりつつ上向きに突出した角状アーム２２と有している。可動式ベース４は樹脂成形品（アルミダイキャスト品でもよい）あり、角状アーム２２は本体部２１に一体に設けている。なお、本体部２１は箱状であることから、外周は周壁で構成されている。
【００２３】
角状アーム２２は基本的には前後方向に広い板状であるが、前後間隔は上に行くに従って狭まっており、上端には左右外向きに突出したボス部（軸受部）２３を一体に設けており、このボス部２３が支持フレーム１９の上下中途部に下支軸２４と下ブッシュ２５と下ビス２６とで回動可能に連結されている。従って、可動式ベース４は、ボス部２３の軸心２７を中心にして跳ね上げ回動することができ、これにより、座部５は図１（Ｂ）のように跳ね上げられた（折り畳まれた）状態になる。座部５を跳ね上げた状態で、当該座部５の重心はボス部２３及び下支軸２４の軸心２７よりも後ろに位置している。なお、下支軸２４は支持フレーム１９に溶接で固定している。また、下ビス２６の頭は下キャップ２８で覆われている。
【００２４】
図１（Ｃ）に示すように、背もたれ３は、前後に大きく開口した背もたれ本体（メインフレーム）２９と、背もたれ本体２９にその開口部を覆うように取り付けられたサポート体３０とを有している。サポート体３０の前面には背クッション材３１を張っているが、背クッション材３１を設けずにサポート体３０を露出させたままでもよい。背もたれ本体２９及びサポート体３０は、樹脂の成形品である。
【００２５】
背もたれ本体２９のうち下寄りの部位には左右外側に張り出した外向き張り出し部２９ａを形成しており、この外向き張り出し部２９ａの外端に、上支軸１７に嵌まる軸受け部３２を形成している。軸受け部３２には図示しないブッシュが嵌まっており、上ビス１８を内側から上支軸１７にねじ込むことにより、背もたれ本体２９は上支軸１７に離脱不能に保持されている。上ビス１８の頭は上キャップ３３で覆われている。外向き張り出し部２９ａは平面視で手前に突出しており、このため、背もたれ３で着座者の腰部を後ろから囲う状態になっている。
【００２６】
背もたれ３を縦断側面視で見ると、背もたれ本体２９のうち外向き張り出し部２９ａを設けている高さ位置の部分が最も前に位置するように曲がった形態になっている。そして、外向き張り出し部２９ａの高さは、平均的な成人が着座した場合に腰部（特に第３腰椎のあたりが好ましい）の高さに設定している。このため、背もたれ３はランバーサポート機能を保持している。
【００２７】
背もたれ本体２９の開口とサポート体３０とは、下部が丸みを帯びて全体的に上に窄まった正面視形態を成している。サポート体３０には、その周縁部を除いて多数の穴が縦横に並んで開口しており、このため、多数の縦筋と横筋とが交叉した格子状の外観を呈している。サポート体３０の周縁部が背もたれ本体２９に嵌め込み装着されている。
【００２８】
敢えて述べるまでもないが、背もたれ本体２９を前後に開口していない構成として、これに背クッション材３１を直接に又はインナー部材を介して取り付けることも可能である。また、樹脂製のサポート体３０に代えて、可撓性のあるメッシュ材を背もたれ本体２９に張ることも可能である。樹脂製のサポート体３０を設ける場合、横長のスリットが多段に形成された形態など、様々の態様を採用できる。背もたれ３は、背もたれ本体２９のみで構成することも可能である。
【００２９】
背もたれ３が後傾すると、座２は前進する。従って、座２は可動式ベース４に前後スライド自在に取り付けられている。具体的には、図２〜４に示すように、可動式ベース４に左右一対のスライダー３６を前後動自在に装着し、左右スライダー３６に座板６が前後相対動不能に装着されている。従って、座２はスライダー３６と一緒に相対動する。図４に示すように、スライダー３６の前進動は、弾性支持手段の一例としてのばね３７（圧縮コイルばね）で弾性的に支持される。ばね３７は前後のばね受け３８，３９で支持されており、前部ばね受け３８は可動式ベース４に前後動不能に保持されており、後部ばね受け３９はスライダー３６で押されて前進する。
【００３０】
更に、左右のスライダー３６の後端部３６ｃには金属板製の左右横長の支持ステー４０がビス４１で固定されており、支持ステー４０の左右両端部に上向きの受動アーム４２を曲げ形成している一方、背もたれ本体２９の下端部には、支持ステー４０の受動アーム４２に上から嵌まるポケット状の押動部（ホルダー部）４３を設けている。
【００３１】
受動アーム４２の上端には、受動部として樹脂製の冠部材４４を装着している。冠部材４４は、押動部４３への反力を分散させると共に動きを滑らかにするためのものである。例えば図５に示すように、支持ステー４０のうちスライダー３６の固定部は上向き膨出部４０ａになっており、上向き膨出部４０ａに凹み形成した段部４０ｂにスライダー３６の突片３６ｃを固定している。
【００３２】
本実施形態の椅子は、着座者の凭れ掛かりによって背もたれ３がロッキングすると、支持ステー４０を介してスライダー３６が前進し、これにより、座２は背もたれ３のロッキングに連動して（シンクロして）前進する。
【００３３】
従って、本実施形態の椅子は、ネスティング可能な椅子でありながら、座２は背もたれ３のロッキングに連動して前進動する。なお、スライダー３６はばね３７で後退方向に付勢されているので、押動部４３は受動アーム４２を押す機能があれば足り、従って、ポケット状の形態にすることなく、例えば背もたれ本体２９の下部の一部を厚肉化することで、押動部４３として機能させることも可能である。本実施形態では、押動部４３と支持ステー４０の受動アーム４２とで連動手段を構成している。また、スライダー３６と支持ステー４２とで前後動自在な座受け体が構成されており、これらスライダー３６と支持ステー４２に座２が取り付けられている（取り付け構造は後述する。）。
【００３４】
例えば図５のとおり、スライダー３６は前後長手で下向きに開口した溝型になっており、左右側板３６ａの下端に外向きの前後フランジ３６ｂを曲げ形成している。他方、可動式ベース４の左右側部には、スライダー３６が被さる前後一対の支持突起４５を設け、支持突起４５の上端に、軸心を作用横長にして配置されたコロ４６を転動自在に嵌め入れている。コロ４６はＰＯＭ樹脂のような摩擦係数が小さい樹脂で製造されており、スライダー３６を軽快かつ無音で前後スライドさせることができる。スライダー３６の上面には２条の長溝穴５２が空いているが、この長溝穴には、前部ばね受け３８に設けた爪が嵌まるようになっている。
【００３５】
スライダー３６の左右ずれは、可動式ベース４に設けた外ガイド壁４７と前後の内ガイド突起４８とによって規制されている。そして、外ガイド壁４７と前後の内ガイド突起４８とに、スライダー３６の前後フランジ３６ｂの上に位置したガイドストッパー４９を突設している。このため、スライダー３６は上向き移動不能で前後スライド自在に保持されている。スライダー３６の前後フランジ３６ｂの間に大きな間隔が空いている一方、前後のガイドストッパー４９の間にも大きな間隔が空いている。
【００３６】
(2).座の押動機構
次に、主として図６，７に基づいて、ロッキングに伴う座の押動機構を説明する。図６，７のとおり、支持ステー４０における受動アーム４２の上端には既述のとおり樹脂製の冠部材４４を装着している。冠部材４４は側面視で概ね円形に近い形態であり、受動アーム４２の上端が嵌まる下向き開口溝７５を設けている。
【００３７】
受動アーム４２の上端も側面視で概ね円弧状に形成されているが、手前側に係合段部７６を形成して後ろ側には切欠き７７を形成しており、このため、受動アーム４２の上端には首付きの頭部４２ａが形成された状態になっている。冠部材４４には、受動アーム４２の係合段に嵌合する爪部４４ａを形成しており、このため、冠部材４４は、受動アーム４２にガタ付き無く離脱不能に保持されている。
【００３８】
背もたれ本体２９の押動部４３は既述のとおりポケット状に形成されており、左右の側板４３ａと、左右側板の上端に繋がった天板４３ｂと、左右側板４３ａの内部に一対に繋がった上下長手の中板４３ｃとを有している。左右側板４３ａの前端には内向きのフロントリブ４３ｄが形成されており、フロントリブ４３ｄの間隔は、受動アーム４２は通るが冠部材４４は抜け出ない寸法に設定されている。受動アーム４２の頭４２ａ及び冠部材４４は、フロントリブ４３ｄと中板４３ｃとの間に位置しており、受動アーム４２が冠部材４４を介して中板４３ｃで押されることにより、背もたれ３のロッキングに連動して座２が前進動する。
【００３９】
中板４３ｃの前面は、平面視で左右方向に真っ直ぐ伸びる平坦面になっている。このため、冠部材４４をこじれのない状態で押すことができる。中板４３ｃはこのように冠部材４４をこじれなく安定良く押すために設けたものであるから、中板４３ｃの後ろの空間は塞いでもよい。すなわち、中板４３ｃを設けることに代えて、背もたれ本体２９に段部を形成してもよい。図７のとおり、中板４３ｃの上半分程度では後ろには空間はなくて、実質的には段部になっている。
【００４０】
図７に示すように、背もたれ３は上支軸１７の軸心７８を中心にして矢印７９方向に回動し、この回動により、押動部４３は下降しつつ前進する。他方、支持ステー４０は前進するだけである。従って、冠部材４４が押動部４３の内部に相対的に上昇動することにより（中板４３ｃで冠部材４４を押す位置が高くなることにより）、ロッキングによる座２の前進動が許容されている。背もたれ３に作用する体圧が解除されると、支持ステー４０はばね３７によって後退し、すると、押動部４３が冠部材４４で押されて背もたれ３は戻り回動する。
【００４１】
さて、人が背もたれ３に凭れかかっていない状態で、背もたれ３の上端に前向きの外力が掛かることがあるが、本実施形態では、押動部４３の左右側板４３ａの前端にフロントリブ４３ｄを設けたことにより、ニュートラル状態で背もたれ３に前傾させようとする外力が作用しても、フロントリブが冠部材４４に手前から当たることで背もたれ３の前傾が阻止される。従って、特別の前傾阻止手段を設けることなく、背もたれ３の前傾を防止できる。この点、本実施形態の利点の一つである。
【００４２】
また、図８のとおり、可動式ベース４の回動軸心２７と冠部材４４の軸心８０とが一致しているため、可動式ベース４をポケット状の押動部４３に収納したものでありながら、可動式ベース４はこじれなく回動させることができる。
【００４３】
また、可動ベース体４をはね上げると背もたれ３は姿勢保持機能を失うため、特段の姿勢保持手段を講じないと、背もたれ３が自重で後傾し勝手になるが、その後傾動は押動部４３が冠部材４４に当たることで阻止される。従って、特段の後傾阻止手段を設けることなく、背もたれ３がずり下がるような状態に後傾動することを防止できる。
【００４４】
押動部４３に、冠部材４４に後ろから当たる金属製の当て板を設けることも可能である。また、冠部材を使用せずに、受動アーム４２と押動部４３（の側板４３ａ）とを左右横長のピンで連結することも可能である（この場合は、受動アーム４２に設けたピン穴を上下長手の長穴とすることで、可動ベース体４の跳ね上げ回動を許容できる。）。
【００４５】
(3).背もたれの連結構造
次に、上支軸１７に対する背もたれ本体２９の連結構造を、主として図９〜１２を参照して説明する。図９，１０のとおり、上支軸１７は支持フレーム１９（後足１１）の左右外側に張り出しており、内側に突出した小径部１７ａを備えている。そして、小径部１７ａに背もたれ本体２９の軸受け部３２が、樹脂製の上ブッシュ８２を介して回動可能に嵌合している。上ブッシュ８２は、ＰＯＭ樹脂のように強度と耐摩擦製とに優れた素材から成っている。
【００４６】
上ブッシュ８２は軸受け部３２に外側から嵌まっているが、図９（Ｄ）に示すように、背もたれ本体２９の軸受け部３２に、上ブッシュ８２が嵌まる左右外向きの筒部８３を一体に形成して、この筒部８３の後部を切欠いている一方、上ブッシュ８２には、筒部８３の切欠き８３ａに嵌まって後ろ向きに延びるストッパー片８２ａを一体に設けており、このため、上ブッシュ８２は背もたれ本体２９の軸受け部３２に相対回転不能に保持されている。
【００４７】
図１０に示すように、上ブッシュ８２は上支軸１７における小径部１７ａの端面に重なる端板８２ｂを有しており、軸受け部３２の中板３２ａと上ブッシュ８２とが上ビス１８で上支軸１７に抜け不能に保持されている。上ビス１８にはフランジ付きのカラー８４が嵌まっており、カラー８４の先端が上支軸１７に設けた規制穴の底につかえることにより、軸受け部３２及び上ブッシュ８２は強固に締結されることなく回動可能な状態で保持されている。
【００４８】
背もたれ本体２９の軸受け部３２には上ビス１８の頭が隠れる凹所３２ｃが左右内側と前方とに開口するように形成されており、凹所３２ｃにはスライド式の上キャップ３３が嵌まっている。上支軸１７の外端面にはエンドキャップ８５が嵌まっている。なお、上支軸１７は肘掛けの取り付けに使用される。エンドキャップ８５が嵌まっている穴は、肘掛けの取り付けに使用される雌ねじ穴である。
【００４９】
図１０に明示するように、背もたれ本体２９における軸受け部３２のうち上ブッシュ８２ストッパー片８２ａが重なっている部分は、後ろに行くに従って左右内側にずれた傾斜面３２ｂになっている。傾斜面３２ｂの後端は上ブッシュ８２の内端面の略真後ろに位置しており、かつ、軸受部３２のうち傾斜面３２ｂの後ろには、傾斜面３２ｂより傾斜角度が大きい平面視弧状の傾斜部８６が連続している。
【００５０】
また、上ブッシュ８２において、ストッパー片８２ａの付け根は端板８２ｂよりも少し外側にずれており、このため、端板８２ｂとストッパー片８２ａとの間は段部８２ｃになっており、この段部８２ｃに軸受部３２の後部が嵌まっている。段部８２ｃの箇所では上ブッシュ８２は全周にわたって軸受部３２に嵌まっている。このため高い軸支機能が発揮されていると共に、上ブッシュ８２は軸受部３２に安定良くしっかりと嵌まっている。
【００５１】
既述のとおり、背もたれ本体２９の押動部４３は支持ステー４０の冠部材４４に嵌まっている。従って、椅子の組み立てに際しては、背もたれ本体２９は、その押動部４３を可動式ベース４に嵌め込みつつ、軸受部３２を上支軸１７に嵌め込まなければならない。この点、本実施形態では、図１１，１２に示すように、背もたれ本体２９をいったんニュートラル姿勢（基準姿勢）よりも前傾させた姿勢にして背もたれ本体２９を冠部材４４に嵌め込み、次いで、冠部材４４を支点にして後ろに起こすことで軸受部３２を上支軸１７に嵌め込みできる。
【００５２】
つまり、軸受け部３２の切欠き８３ａは後ろ向きに開口している一方、押動部４３は略上下方向に長い形態であり、このため、単に背もたれを後ろ向きに移動させたり下向きに移動させたりしただけでは、上支軸１７への軸受け部３２の嵌め込みと冠部材４４への押動部４３の嵌め込みを同時には行えないが、背もたれ３を基準姿勢に対して前傾させることにより、上支軸１７への軸受け部３２の嵌め込みと冠部材４４への押動部４３の嵌め込みとを一連に行えるのである。
【００５３】
この組み立てに際しては、上ブッシュ８２は先に上支軸１７に嵌め込んでいる。そして、上ブッシュ８２の後部と軸受部３２の後端とは段差８２ｃの寸法Ｅの分だけ左右方向に噛み合っているが、背もたれ本体２９は左右軸受部３２の間隔が縮まるように若干弾性変形するので、傾斜面３２ｂを上ブッシュ８２の前端に当てて後ろ向きに押し込むことにより、傾斜面３２ｂが上ブッシュ８２を乗り越えて後ろに移動し、押し込み切るのと同時に軸受部３２と上ブッシュ８２とはしっかり嵌まり合う。
【００５４】
従って、簡単に背もたれ本体２９（背もたれ３）の取り付けをごく簡単かつ確実に行える。背もたれ本体２９は冠部材４４によっておおまかな左右位置が決められるが、実施形態のように軸受部３２の後ろに傾斜部８６を形成しておくと、誘い込み機能が向上するため好適である。
【００５５】
上記の実施形態では軸受け部を背もたれ（背もたれ本体）に設けて上支軸を支持フレームに設けていたが、支軸を背もたれに設けて軸受け部を支持フレームに設けることも可能である。
【産業上の利用可能性】
【００５６】
本願発明は椅子に具体化して製造できる。従って、産業上、利用できる。
【符号の説明】
【００５７】
１  脚装置
２  座
３  背もたれ
４  可動ベース体
１１  後足
１７  上支軸
１９  支持部材の一例としての支部フレーム（脚支柱）
２１  可動ベース体の本体部
２２  可動ベース体の角状アーム
２３  角状アームのボス部
２４  下支軸
２９  背もたれ本体
３２  背もたれの軸受け部
３６  座受け体を構成するスライダー
３７  ばね
４０  座受け体を構成する支持ステー
４２  受動アーム
４３  押動部
４３ｃ  中板
４３ｄ  フロントリブ
４４  受動部を構成する冠部材
【図１】
2014097181.tif 000003
【図２】
2014097181.tif 000004
【図３】
2014097181.tif 000005
【図４】
2014097181.tif 000006
【図５】
2014097181.tif 000007
【図６】
2014097181.tif 000008
【図７】
2014097181.tif 000009
【図８】
2014097181.tif 000010
【図９】
2014097181.tif 000011
【図１０】
2014097181.tif 000012
【図１１】
2014097181.tif 000013
【図１２】
2014097181.tif 000014